(57)【要約】【課題】車両で使用される消耗品の交換時期を案内する交換時期案内装置の利便性を向上する。【解決手段】制御装置は、車両の走行距離に応じて交換を要するエンジンオイルの前回交換時からの走行距離を交換後走行距離として計数する。表示装置は、エンジンオイルの交換時期が到来したと判断された場合に、その旨を搭乗者に通知する。ための交換時期通知処理部を有する。また、表示装置は、交換後走行距離に基づく距離情報を表示する距離表示部を有する。【選択図】図５
2008222108.tif 000002
【特許請求の範囲】
【請求項１】
車両の走行距離に応じて交換を要する消耗品の前回交換時からの走行距離を交換後走行距離として計数する計数装置と、
前記消耗品の交換時期が到来したと判断された場合にその旨を搭乗者に通知するための交換時期到来表示部を有するとともに、前記交換後走行距離に基づく距離情報を表示する表示装置と、
を備えることを特徴とする交換時期案内装置。
【請求項２】
請求項１に記載の交換時期案内装置において、
前記表示装置は、車両に関する情報であって前記距離情報とは異なる車両情報を表示する表示部を有し、前記距離情報を前記車両情報から切り換えて前記表示部に表示する、
ことを特徴とする交換時期案内装置。
【請求項３】
請求項２に記載の交換時期案内装置において、
前記表示装置は、前記距離情報が前記表示部に表示されている時に、その旨を搭乗者に通知する、
ことを特徴とする交換時期案内装置。
【請求項４】
請求項３に記載の交換時期案内装置において、
前記表示装置は、前記距離情報が前記表示部に表示されている時に、その旨を前記交換時期到来表示部を用いて搭乗者に通知する、
ことを特徴とする交換時期案内装置。
【請求項５】
請求項４に記載の交換時期案内装置において、
前記表示装置は、前記距離情報が前記表示部に表示されている時には、前記交換時期到来表示部の表示態様を、前記消耗品の交換時期が到来したと判断された時の表示態様とは異ならせる、
ことを特徴とする交換時期案内装置。
【請求項６】
請求項１乃至５のいずれかに記載の交換時期案内装置において、
前記計数装置に前記交換後走行距離の計数の再始動を指示する入力装置をさらに備える、
ことを特徴とする交換時期案内装置。
【請求項７】
請求項１に記載の交換時期案内装置において、
前記計数装置は、車両の走行距離に応じて交換を要する消耗品であって、前記消耗品とは異なる第２の消耗品の前回交換時からの走行距離を第２の交換後走行距離として計数する、
ことを特徴とする交換時期案内装置。
【請求項８】
請求項６に記載の交換時期案内装置において、
前記表示装置は、前記距離情報を表示する表示部を有し、前記第２の交換後走行距離に基づく第２の距離情報を、前記距離情報から切り換えて前記表示部に表示する、
ことを特徴とする交換時期案内装置。
【請求項９】
請求項７に記載の交換時期案内装置において、
前記表示装置は、前記第２の距離情報が前記表示部に表示されている時にはその旨を搭乗者に通知するとともに、前記第２の消耗品の交換時期が到来したと判断された場合にはその旨を搭乗者に通知するための第２の交換時期到来表示部を有する、
ことを特徴とする交換時期案内装置。
【発明の詳細な説明】
【技術分野】
【０００１】
本発明は、車両の走行距離に応じて交換を要する消耗品の交換時期を案内する交換時期案内装置に関する。
【背景技術】
【０００２】
自動二輪車などの鞍乗型車両では、エンジンオイルや、エンジンの駆動力を後車輪に伝達するベルトなど、車両の走行距離に応じて交換を要する消耗品が用いられている。従来、このような消耗品の交換時期を搭乗者に案内する交換時期案内装置として、交換時期が到来した時、或いは交換時期が近づいてきた時にインスツルメントパネルに設けられた表示灯等を点灯させて、その旨を搭乗者に通知するものがある（例えば、特許文献１）。
【特許文献１】特開２００５−１５３６８２号公報
【発明の開示】
【発明が解決しようとする課題】
【０００３】
しかしながら、上記交換時期案内装置では、その利便性において十分とは言えなかった。例えば、搭乗者は、自動二輪車で遠出をしようとする時に、表示灯が点灯する前に予め消耗品の交換を済ませておきたい場合がある。しかしながら、上記交換時期案内装置では、搭乗者は、消耗品の交換時期を予測することができず、遠出をする前に交換を済ませておくべきかどうか判断できなかった。
【０００４】
本発明は、上記課題に鑑みてなされたものであって、その目的の一つは、車両の走行距離に応じて交換を要する消耗品の交換時期を案内する交換時期案内装置において、その利便性を向上することにある。
【課題を解決するための手段】
【０００５】
上記課題を解決するために本発明に係る交換時期案内装置は、車両の走行距離に応じて交換を要する消耗品の前回交換時からの走行距離を交換後走行距離として計数する計数装置と、前記消耗品の交換時期が到来したと判断された場合にその旨を搭乗者に通知するための交換時期到来表示部を有するとともに、前記交換後走行距離に基づく距離情報を表示する表示装置とを備える。
【０００６】
本発明によれば、交換後走行距離に基づく距離情報が表示されるので、搭乗者は交換時期を予測することができるようになり、交換時期案内装置の利便性が向上する。なお、ここで距離情報は、例えば、交換後走行距離や、交換後走行距離に応じて定まる指数である。
【０００７】
本発明の一態様では、前記表示装置は、車両に関する情報であって前記距離情報とは異なる車両情報を表示する表示部を有し、前記距離情報を前記車両情報から切り換えて前記表示部に表示する。この態様によれば、距離情報を表示するための専用の表示部を設ける必要がなくなり、表示装置の表示を簡素化できる。
【０００８】
また、この態様では、前記表示装置は、前記距離情報が前記表示部に表示されている時に、その旨を搭乗者に通知してもよい。これによって、搭乗者は、距離情報が表示部に表示されていることを知ることができ、交換時期案内装置の利便性が向上する。さらに、この態様では、前記表示装置は、前記距離情報が前記表示部に表示されている時に、その旨を前記交換時期到来表示部を用いて搭乗者に通知してもよい。これによって、距離情報が表示されていることを搭乗者に通知するための専用の表示部を設ける必要がなくなり、表示装置の表示を簡素化できる。さらに、この態様では、前記表示装置は、前記距離情報が前記表示部に表示されている時には、前記交換時期到来表示部の表示態様を、前記消耗品の交換時期が到来したと判断された時の表示態様とは異ならせてもよい。
【０００９】
また、本発明の一態様では、前記計数装置に前記交換後走行距離の計数の再始動を指示する入力装置をさらに備える。
【００１０】
また、本発明の一態様では、前記計数装置は、車両の走行距離に応じて交換を要する消耗品であって、前記消耗品とは異なる第２の消耗品の前回交換時からの走行距離を第２の交換後走行距離として計数する。この態様によれば、複数の消耗品について交換時期を案内できるようになる。
【００１１】
また、この態様では、前記表示装置は、前記距離情報を表示する表示部を有し、前記第２の交換後走行距離に基づく第２の距離情報を、前記距離情報から切り換えて前記表示部に表示してもよい。これによって、第２の距離情報を表示するための専用の表示部を備える必要がなくなり、表示装置の表示を簡素化できる。さらに、この態様では、前記表示装置は、前記第２の距離情報が前記表示部に表示されている時にはその旨を搭乗者に通知するとともに、前記第２の消耗品の交換時期が到来したと判断された場合にはその旨を搭乗者に通知するための第２の交換時期到来表示部を有する。これによって、第２の距離情報が表示部に表示されていることを搭乗者に通知するための専用の表示部を設ける必要がなくなり、表示装置の表示を簡素化できる。
【発明を実施するための最良の形態】
【００１２】
以下、本発明の一実施の形態について図面を参照しながら説明する。図１は、本発明の実施形態の例である交換時期案内装置１０を備えた自動二輪車１の側面図であり、図２は、交換時期案内装置１０の構成を示すブロック図である。
【００１３】
図１に示すように、自動二輪車１は、交換時期案内装置１０の他に、エンジンユニット２０と、燃料タンク３０とを備えている。また、図２に示すように、交換時期案内装置１０は、表示ユニット１５と、走行距離センサ１６と、エンジンコントロールユニット（ＥＣＵ）１７とを含んでいる。表示ユニット１５は、制御装置１１と、記憶装置１２と、表示装置１３と、入力装置１４とを含んでいる。
【００１４】
エンジンユニット２０は、この例では、後車輪２とともに上下に揺動可能に設けられるユニットスイング式のエンジンユニットである。図１に示すように、エンジンユニット２０は、エンジン２１と、駆動力伝達機構２５とを備えている。エンジン２１は、その前部に配置されるシリンダブロック２２と、当該シリンダブロック２２の後側に配置されるクランクケース２３とを備えている。
【００１５】
シリンダブロック２２内部にはシリンダが形成されており、当該シリンダ内にはピストン２２ａが配置されている。ピストン２２ａは前後動し、それによって発生した駆動力はクランクケース２３内に配置されたクランクシャフト２３ａを介して駆動力伝達機構２５に伝達される。また、クランクケース２３にはエンジンオイルが溜められている。このエンジンオイルは、ピストン２２ａの前後動により発生した駆動力によって動く可動部材（例えば、ギア等）によって巻き上げられて、エンジン２１内部の可動部材を潤滑する。なお、エンジン２１には、エンジンオイルを排出するための排出口（不図示）と、エンジンオイルをエンジン２１内部に供給するための供給口（不図示）とが設けられている。エンジンオイルの交換時には、利用者は、排出口から古いエンジンオイルを排出し、その後、供給口から新しいエンジンオイルを供給する。
【００１６】
駆動力伝達機構２５は、例えば、ベルト式無段変速機構であり、エンジン２１の駆動力が入力される駆動側シーブ２５ａと、後車輪２とともに回転する従動側シーブ２５ｂと、駆動側シーブ２５ａと従動側シーブ２５ｂとに巻かれて駆動側シーブ２５ａから従動側シーブ２５ｂに駆動力を伝達するベルト２５ｃとを備えている。なお、ベルト２５ｃの駆動側シーブ２５ａに巻かれている部分の半径と、ベルト２５ｃの従動側シーブ２５ｂに巻かれている部分の半径は、後車輪２の回転速度に応じて変化する。これによって、減速比が無段階で変化する。
【００１７】
エンジンユニット２０の前方には、燃料タンク３０が配置されている。燃料タンク３０の上部には給油口３０ａが設けられている。また、燃料タンク３０の内部には、燃料の残量を検知するための液面センサ３１が配置されている。液面センサ３１は、例えばフロート式のセンサであり、アームの端部に取り付けられ燃料の液面に浮くフロートと、アームの基部に設けられアームの傾斜角に応じて抵抗値が変化する可変抵抗とを備える。制御装置１１は、可変抵抗を流れる電流又は電圧に基づいて燃料の残量を検知し、燃料の残量に基づいて後述する燃料残量表示部１３ｆを点灯させる。
【００１８】
エンジンユニット２０の上方には、シート７が配置されている。この例では、シート７とエンジンユニット２０との間にＥＣＵ１７が配置されている。ＥＣＵ１７は、例えば不図示の車体フレームによって支持される。
【００１９】
車体の前部には前車輪３が配置されている。前車輪３はフロントフォーク４によって回転可能に支持されている。フロントフォーク４は斜め上下方向に延伸し、その上部には車幅方向に延伸するハンドル６が接続している。ハンドル６の前方には、表示ユニット１５が配置されている。
【００２０】
表示ユニット１５に含まれる表示装置１３は、車速を表示するための速度メータや、エンジン回転数を表示するためのタコメータなどを備えている。本実施の形態では特に、表示装置１３は自動二輪車１の走行距離を表示する距離表示部１３ａ（図３参照）を備えている。この表示装置１３については後において詳細に説明する。表示ユニット１５において表示装置１３の手前側（シート７側）には、搭乗者によって操作され、その操作に応じた信号を制御装置１１に入力する入力装置１４が設けられている（図３参照）。本実施の形態では、入力装置１４は、上述した距離表示部１３ａに表示される走行距離の種類を切り替えるために使用される。この入力装置１４についても後において詳細に説明する。
【００２１】
ここで、交換時期案内装置１０の構成について説明する。上述したように、交換時期案内装置１０は、制御装置１１と、記憶装置１２と、表示装置１３と、入力装置１４と、走行距離センサ１６と、ＥＣＵ１７とを備えている。
【００２２】
表示装置１３は、制御装置１１から入力される信号に従って、自動二輪車１に関する各種情報を表示する。図３は、表示装置１３の表示パネルの例を示す図である。この例では、表示装置１３は、距離表示部１３ａと、交換時期到来表示部１３ｂと、総走行距離表示部１３ｅと、燃料残量表示部１３ｆと、時刻表示部１３ｇと、距離内容表示部１３ｈと、速度メータ１３ｉと、タコメータ１３ｊとを含んでいる。
【００２３】
距離表示部１３ａには、自動二輪車１の走行距離に応じて交換を要する消耗品の前回交換時からの走行距離（以下、交換後走行距離とする）に基づく距離情報（以下、交換案内距離情報とする）と、自動二輪車１に関する情報であって交換案内距離情報とは異なる車両情報とが表示される。交換案内距離情報は、制御装置１１から表示装置１３に入力される信号に従って、車両情報から切り換えて表示される。
【００２４】
走行距離に応じて交換を要する消耗品は、例えば、駆動力伝達機構２５に設けられたベルト２５ｃや、エンジン２１内に溜められているエンジンオイルである。交換案内距離情報は、例えば、交換後走行距離や、消耗品が交換されるべき走行距離（以下、交換必要距離とする。例えば、数千キロメートル）に至るまでの残りの距離（交換必要距離と交換後走行距離との差）である。また、交換案内距離情報は、交換後走行距離が複数の段階（例えば、５段階）で評価された時の評価結果（例えば、５段階評価で２など）でもよい。ここで説明する例では、ベルト２５ｃについての交換案内距離情報（以下、ベルト距離情報とする）と、エンジンオイルについての交換案内距離情報（以下、オイル距離情報とする）とが距離表示部１３ａに表示される。交換案内距離情報とは異なる車両情報は、例えば、搭乗者が指定する任意の地点からの走行距離（以下、区間走行距離とする）である。ここで説明する例では、異なる２つの地点からの走行距離が区間走行距離（以下、第１の区間走行距離、及び第２の区間走行距離とする）として計数される。
【００２５】
交換時期到来表示部１３ｂは、制御装置１１の処理において消耗品の交換時期が到来したと判断された場合に、その旨を搭乗者に通知する。また、交換時期到来表示部１３ｂは、距離表示部１３ａに交換案内距離情報が表示されている時には、当該交換時期到来表示部１３ｂの表示態様を、消耗品の交換時期が到来した時とは異なる態様にする。これによって、交換時期到来表示部１３ｂは、距離表示部１３ａに交換案内距離情報が表示されていることを搭乗者に知らせる。
【００２６】
なお、この例では、図３に示すように、交換時期到来表示部１３ｂは、エンジンオイルの交換時期の到来を通知するためのオイル交換表示部１３ｃと、ベルト２５ｃの交換時期の到来を通知するためのベルト交換表示部１３ｄとを含んでいる。オイル交換表示部１３ｃには、予め定められた文字（この例では「ＯＩＬ」）が表示され、ベルト交換表示部１３ｃにも、予め定められた文字（この例では「Ｖ−ＢＥＬＴ」）が表示される。
【００２７】
総走行距離表示部１３ｅは、自動二輪車１の総走行距離を表示する。燃料残量表示部１３ｆは、液面センサ３１から入力される信号に基づいて検知された燃料の残量を搭乗者に通知する。この例では、燃料残量表示部１３ｆは、円弧状に複数（この例では６つ）の領域に区画されており、燃料の残量に応じた領域が点灯する。時刻表示部１３ｇは現在時刻を表示する。距離内容表示部１３ｈは、距離表示部１３ａに表示されている区間走行距離の種類を搭乗者に通知する。具体的には、第１の区間走行距離が距離表示部１３ａに表示されている場合には、予め定める文字（この例では、「ＴＲＩＰ１」）が表示され、第２の区間走行距離が表示されている場合には、前記文字とは異なる文字（この例では「ＴＲＩＰ２」）が表示される。速度メータ１３ｉは、この例では、アナログ式の速度メータであり、車両の速度に応じた角度まで指針を回転させることで搭乗者に速度を通知する。タコメータ１３ｊは、この例では、アナログ式のタコメータであり、エンジン回転数に応じた角度まで指針を回転させることで、搭乗者にエンジン回転数を通知する。
【００２８】
入力装置１４は、搭乗者によって操作され、当該操作に応じた信号を制御装置１１に入力する。この例では、入力装置１４は、搭乗者が距離表示部１３ａに表示される距離情報の切り替えを指示するための切り替えボタン１４ａと、搭乗者が区間走行距離や交換後走行距離の計数の再始動を指示するためのリセットボタン１４ｂとを含んでいる。なお、ここでは、図３に示すように、切り替えボタン１４ａ、及びリセットボタン１４ｂは、表示装置１３の下部に設けられてもよい。
【００２９】
制御装置１１は、例えば、ＣＰＵ（Central Processing Unit）を含み、記憶装置１２に格納されているプログラムを実行して、交換時期案内装置１０を制御する。この例では特に、走行距離センサ１６が出力する信号に基づいて自動二輪車１の走行距離（この例では、交換後走行距離、第１の区間走行距離、及び第２の区間走行距離）を計数するとともに、当該走行距離に基づく情報を表示装置１３に表示するための処理を実行する。制御装置１１が実行する処理については、後において詳細に説明する。
【００３０】
記憶装置１２は、ＲＡＭ（Random Access Memory）やＲＯＭ（Read Only Memory）を含み、制御装置１１が実行するプログラムを予め保持している。また、記憶装置１２は、制御装置１１が計数する走行距離を保持している。記憶装置１２が保持する走行距離は、自動二輪車１の走行時には、制御装置１１によって逐次更新される。
【００３１】
走行距離センサ１６は、自動二輪車１の走行距離を算出するためのセンサであり、例えば、後車輪２の回転軸の回転速度に応じた頻度でパルス信号を出力する車速センサである。制御装置１１はパルス信号を計数し走行距離を算出する。ＥＣＵ１７は、エンジン２１における点火タイミングや、エンジン２１に供給する燃料の量を制御する。なお、ここでは、走行距離センサ１６から出力されたパルス信号は、当該ＥＣＵ１７に入力された後、当該ＥＣＵ１７から制御装置１１に出力される。
【００３２】
ここで、制御装置１１が実行する処理について説明する。図４は、制御装置１１の機能ブロック図である。同図に示すように、制御装置１１は、機能的には、距離情報取得処理部１１ａと、表示制御部１１ｂと、交換時期通知処理部１１ｃと、計数再始動処理部１１ｄとを含んでいる。
【００３３】
距離情報取得処理部１１ａは、走行距離センサ１６が出力する信号に基づいて、距離表示部１３ａに表示される距離情報を取得する。具体的には、距離情報取得処理部１１ａは、走行距離センサ１６が出力する信号に基づいて、走行距離に応じて交換を要する消耗品の前回交換時からの走行距離である交換後走行距離を算出する。そして、当該交換後走行距離に基づいて上述した交換案内距離情報を取得する。
【００３４】
ここで説明する例では、消耗品は、上述したように、ベルト２５ｃ及びエンジンオイルである。この場合、距離情報取得処理部１１ａは、ベルト２５ｃの前回交換時からの走行距離（以下、ベルト交換後距離とする）と、エンジンオイルの前回交換時からの走行距離（以下、オイル交換後距離とする）とを算出する。そして、ベルト交換後距離に基づいてベルト距離情報を取得し、オイル交換後距離に基づいてオイル距離情報を取得する。距離情報取得処理部１１ａによる距離情報を取得する処理は、例えば、次のように実行される。
【００３５】
距離情報取得処理部１１ａは、自動二輪車１が走行することによって走行距離センサ１６のパルス信号が入力されるたびに、オイル交換後距離及びベルト交換後距離を積算する。距離情報取得処理部１１ａは、例えば、積算によって得られたオイル交換後距離及びベルト交換後距離を、オイル距離情報及びベルト距離情報とする。また、距離情報取得処理部１１ａは、ベルト２５ｃの交換がされるべき走行距離（以下、ベルト交換必要距離）とベルト交換後距離との差を算出し、当該差をベルト距離情報としてもよい。同様に、距離情報取得処理部１１ａは、エンジンオイルの交換がされるべき走行距離（以下、オイル交換必要距離）とオイル交換後距離との差を算出し、当該差をオイル距離情報としてもよい。なお、ベルト交換必要距離やオイル交換必要距離は、例えば、自動二輪車１の製造段階において予め設定され、記憶装置１２に格納される。
【００３６】
また、距離情報取得処理部１１ａは、算出したオイル交換後距離及びベルト交換後距離に応じて定まる指数をオイル距離情報乃至ベルト距離情報としてもよい。例えば、距離情報取得処理部１１ａは、オイル交換後距離及びベルト交換後距離を評価し、その評価結果をオイル距離情報乃至ベルト距離情報としてもよい。具体的な例として、オイル交換必要距離が５０００キロメートルに設定され、オイル交換後距離を５段階で評価する場合、例えば、０キロメートルから１０００キロメートルまでの評価結果を１とし、１００１キロメートルから２０００キロメートルまでの評価結果を２とする。そして、同様の方法で、０キロメートルから５０００キロメートルまでを５段階に区分する。このように、オイル交換必要距離が５段階に区分され、オイル交換後距離が１４００キロメートルである場合には、その評価の結果として得られた値２をオイル距離情報とする。
【００３７】
なお、オイル交換後距離及びベルト交換後距離は、後述する計数再始動処理部１１ｄの処理によって、エンジンオイルやベルト２５ｃが交換された時に初期値（例えば０）に設定される。オイル交換後距離及びベルト交換後距離が初期値に設定された時には、距離情報取得処理部１１ａは、改めて初期値から積算を行なう。また、距離情報取得処理部１１ａは、記憶装置１２が保持するオイル交換後距離及びベルト交換後距離を、積算によって得られた値に逐次更新する。
【００３８】
また、距離情報取得処理部１１ａは、オイル交換後距離及びベルト交換後距離の他に、走行距離センサ１６が出力する信号に基づいて、総走行距離と、第１の区間走行距離と、第２の区間走行距離とを積算する。第１の区間走行距離と第２の区間走行距離は、それぞれ第１の区間走行距離情報と第２の区間走行距離情報として距離表示部１３ａに表示される。また、総走行距離は、総走行距離情報として総走行距離表示部１３ｅに表示される。距離情報取得処理部１１ａは、自動二輪車１の走行時には、記憶装置１２が保持する走行距離を示す情報を順次更新する。
【００３９】
表示制御部１１ｂは、距離情報取得処理部１１ａによって算出された距離情報を、搭乗者の指示に従って、距離表示部１３ａに表示するための処理を実行する。具体的には、表示制御部１１ｂは、搭乗者の指示に従って、距離表示部１３ａに表示する距離情報を、ベルト距離情報と、オイル距離情報と、第１の区間走行距離情報と、第２の区間走行距離情報との間で切り替える。例えば、表示制御部１１ｂは、搭乗者が切り替えボタン１４ａを操作したことによって、距離情報の切り替えを指示する信号が入力された時に、距離表示部１３ａに表示する距離情報を、第２の区間走行距離情報からオイル距離情報に切り替える。
【００４０】
なお、表示制御部１１ｂは、距離表示部１３ａに表示されている区間走行距離情報に対応する態様で距離内容表示部１３ｈを点灯させる。具体的には、表示制御部１１ｂは、距離表示部１３ａに第１の区間走行距離情報を表示している時には、距離内容表示部１３ｈに「ＴＲＩＰ１」を表示し、第２の区間走行距離を表示している時には、距離内容表示部１３ｈに「ＴＲＩＰ２」を表示する。
【００４１】
交換時期通知処理部１１ｃは、消耗品の交換時期が到来したと判断した場合に、その旨を搭乗者に通知する処理を実行する。具体的には、交換時期通知処理部１１ｃは、距離情報取得処理部１１ａによって算出されたベルト交換後距離に基づいて、自動二輪車１の走行距離がベルト交換必要距離に達しているか否かを判定する。そして、走行距離がベルト交換必要距離に達している場合には、交換時期通知処理部１１ｃは、予め定める態様（以下、交換時期通知態様とする）でベルト交換表示部１３ｄを点灯させる。例えば、交換時期通知処理部１１ｃは、ベルト交換表示部１３ｄを間欠的に点灯（点滅）させたり、その輝度を予め設定した値より高くしたりする。同様に、交換時期通知処理部１１ｃは、オイル交換後距離に基づいて自動二輪車１の走行距離がオイル交換必要距離に達しているか否かを判定する。そして、走行距離がオイル交換必要距離に達している場合には、交換時期通知態様でオイル交換表示部１３ｃを点灯させる。
【００４２】
また、交換時期通知処理部１１ｃは、距離表示部１３ａに交換案内距離情報（以上の説明ではベルト距離情報及びオイル距離情報）が表示されている場合には、交換時期到来表示部１３ｂを用いて、その旨を搭乗者に通知する。この処理は、例えば、次のように実行される。
【００４３】
交換時期通知処理部１１ｃは、交換時期案内装置１０の動作時には、距離表示部１３ａにベルト距離情報又はオイル距離情報が表示されているか否かを監視する。ベルト距離情報が表示されている場合には、交換時期通知処理部１１ｃは、自動二輪車１の走行距離がベルト交換必要距離に達した時とは異なる態様（以下、表示内容案内態様とする）で、ベルト交換表示部１３ｄを点灯させる。例えば、交換時期通知処理部１１ｃは、ベルト距離情報が表示されている間、ベルト交換表示部１３ｄの恒常的に点灯させる。また、走行距離がベルト交換必要距離に達した時より低い輝度でベルト交換表示部１３ｄを点灯させてもよい。同様に、オイル距離情報が表示されている場合には、交換時期通知処理部１１ｃは、表示内容案内態様でオイル交換表示部１３ｃを点灯させる。
【００４４】
なお、ベルト交換後距離がベルト交換必要距離に達している場合であって、ベルト距離情報が距離表示部１３ａに表示されている場合には、交換時期通知処理部１１ｃは、表示内容案内態様より交換時期通知態様での点灯を優先させてもよい。同様に、オイル交換後距離がオイル交換必要距離に達し、且つ、オイル距離情報が距離表示部１３ａに表示されている場合には、交換時期通知処理部１１ｃは、表示内容案内態様より交換時期通知態様での点灯を優先させてもよい。
【００４５】
計数再始動処理部１１ｄは、搭乗者によって、消耗品が交換され、交換後走行距離の計数の再始動が指示された場合に、記憶装置１２が保持する交換後走行距離を初期値に設定する処理を行う。例えば、エンジンオイルの交換がなされた後、リセットボタン１４ｂ又は切り替えボタン１４ａが所定の順序で操作された時に、記憶装置１２が保持するオイル交換後距離を０に設定する。同様に、ベルト２５ｃの交換がなされた後、所定のボタン操作がなされた時に、ベルト交換後距離を０に設定する。なお、距離情報取得処理部１１ａは、オイル交換後距離又はベルト交換後距離が０に設定された後は、それらの距離の積算を０から再開する。
【００４６】
ここで、制御装置１１が実行する処理の流れについて説明する。図５は、表示制御部１１ｂが実行する処理の例を示すフローチャートであり、図６は、表示制御部１１ｂの処理によって表示される距離情報の例を示す図である。図７は、交換時期通知処理部１１ｃが実行する処理の例を示すフローチャートであり、図８は、計数再始動処理部１１ｄが実行する処理の例を示すフローチャートである。
【００４７】
まず、表示制御部１１ｂが実行する処理について説明する。表示制御部１１ｂは、第１の区間走行距離情報を距離表示部１３ａに表示する（Ｓ１０１）。その後、表示制御部１１ｂは、切り替えボタン１４ａが搭乗者によって押下されたか否かを判定する（Ｓ１０２）。表示制御部１１ｂは、切り替えボタン１４ａが押下されるまで、第１の区間走行距離情報の表示を維持する。図６（ａ）は、距離表示部１３ａに第１の区間走行距離情報が表示されている様子を示している。この時、表示制御部１１ｂは、第１の区間走行距離に対応する文字（図６の例では「ＴＲＩＰ１」）を距離内容表示部１３ｈに表示する。
【００４８】
Ｓ１０２において、切り替えボタン１４ａが押下された場合には、表示制御部１１ｂは、第２の区間走行距離情報を距離表示部１３ａに表示する（Ｓ１０３）。その後、表示制御部１１ｂは、切り替えボタン１４ａが押下されたか否かを判定する（Ｓ１０４）。表示制御部１１ｂは、切り替えボタン１４ａが押下されるまで、第２の区間走行距離情報の表示を維持する。図６（ｂ）は、距離表示部１３ａに第２の区間走行距離情報が表示されている様子を示している。この時、表示制御部１１ｂは、第２の区間走行距離に対応する文字（図６の例では「ＴＲＩＰ２」）を距離内容表示部１３ｈに表示する。
【００４９】
Ｓ１０４において、切り替えボタン１４ａが押下された場合には、表示制御部１１ｂは、オイル距離情報を距離表示部１３ａに表示する（Ｓ１０５）。図６（ｃ）は、距離表示部１３ａにオイル距離情報が表示されている様子を示している。この時、交換時期通知処理部１１ｃの処理によって、オイル交換表示部１３ｃが表示内容案内態様で点灯する。その後、表示制御部１１ｂは、切り替えボタン１４ａが押下されたか否かを判定する（Ｓ１０６）。表示制御部１１ｂは、切り替えボタン１４ａが押下されるまで、オイル距離情報の表示を維持する。
【００５０】
Ｓ１０６において、切り替えボタン１４ａが押下された場合には、表示制御部１１ｂは、ベルト距離情報を距離表示部１３ａに表示する（Ｓ１０７）。図６（ｄ）は、距離表示部１３ａにベルト距離情報が表示されている様子を示している。この時、交換時期通知処理部１１ｃの処理によって、ベルト交換表示部１３ｄが表示内容案内態様で点灯する。その後、表示制御部１１ｂは、切り替えボタン１４ａが押下されたか否かを判定する（Ｓ１０８）。表示制御部１１ｂは、切り替えボタン１４ａが押下されるまで、ベルト距離情報の表示を維持する。一方、切り替えボタン１４ａが押下された場合には、車両のメインスイッチがオフされたか否かを判定し（Ｓ１０９）、メインスイッチが未だオフされていない場合には、Ｓ１０１に戻り、再びその後の処理を実行する。以上の処理が表示制御部１１ｂの処理の例である。
【００５１】
なお、オイル交換後距離がオイル交換必要距離に達している場合には、Ｓ１０５においてオイル距離情報が表示されている場合であっても、交換時期通知処理部１１ｃの処理によって、表示内容案内態様ではなく交換時期通知態様でオイル交換表示部１３ｃが点灯する。同様に、ベルト交換後距離がベルト交換必要距離に達している場合には、Ｓ１０７においてベルト距離情報が表示されている場合であっても、交換時期通知態様でベルト交換表示部１３ｄが点灯する。
【００５２】
次に、図７を参照して、交換時期通知処理部１１ｃが実行する処理の例について説明する。なお、ここでは、交換時期通知処理部１１ｃがオイル交換表示部１３ｃを制御する処理を例にして説明する。
【００５３】
まず、交換時期通知処理部１１ｃは、距離情報取得処理部１１ａによって積算されているオイル交換後距離がオイル交換必要距離に達しているか否かを判定する（Ｓ２０１）。ここで、オイル交換後距離が既にオイル交換必要距離に達していると判断された場合には、交換時期通知処理部１１ｃは、距離表示部１３ａにオイル距離情報が表示されているか否かに関わらず、交換時期到来表示部１３ｂを交換時期通知態様で点灯させる（Ｓ２０２）。
【００５４】
一方、Ｓ２０１の判定において、未だオイル交換後距離がオイル交換必要距離に達していない場合には、交換時期通知処理部１１ｃは、距離表示部１３ａにオイル距離情報が表示されているか否かを判定する（Ｓ２０３）。ここで、距離表示部１３ａにオイル距離情報が表示されている場合には、交換時期通知処理部１１ｃは、表示内容案内態様で交換時期到来表示部１３ｂを点灯させる（Ｓ２０４）。Ｓ２０３の判定において、距離表示部１３ａにオイル距離情報が表示されていない場合には、車両のメインスイッチがオフされているか否かを判定する（Ｓ２０５）。ここで、メインスイッチが未だオフされていない場合には、Ｓ２０１の処理に戻り、その後の処理を再び実行する。以上の処理が交換時期通知処理部１１ｃの処理の例であり、交換時期通知処理部１１ｃは、交換時期案内装置１０の動作時には以上の処理を繰り返す。
【００５５】
次に、計数再始動処理部１１ｄの処理について図８を参照しながら説明する。なお、ここでは、オイル交換後距離の計数を再始動するための処理を例にして説明する。
【００５６】
まず、計数再始動処理部１１ｄは、搭乗者が切り替えボタン１４ａ又はリセットボタン１４ｂに対して予め定める操作（以下、第１のボタン操作とする）を行ったか否かを判定する（Ｓ３０１）。ここで、第１のボタン操作がなされていない場合には、計数再始動処理部１１ｄは、当該第１のボタン操作がなされるまで待機する。第１のボタン操作は、例えば、距離表示部１３ａにオイル距離情報が表示された状態で、リセットボタン１４ｂが予め定める時間（例えば、数秒）押し続けられることである。
【００５７】
Ｓ３０１の判定において、搭乗者によって第１のボタン操作がなされた場合には、計数再始動処理部１１ｄは、オイル交換表示部１３ｃを予め定める態様で点灯させる（Ｓ３０２）。これによって、計数再始動処理部１１ｄは、記憶装置１２に格納されているオイル交換距離を０に設定するための処理が開始されたことを搭乗者に通知する。
【００５８】
その後、計数再始動処理部１１ｄは、搭乗者が切り替えボタン１４ａ又はリセットボタン１４ｂに対して予め定める操作（以下、第２のボタン操作とする）を行ったか否かを判定する（Ｓ３０３）。第２のボタン操作は、例えば、リセットボタン１４ｂが予め定める時間（例えば、数秒）の間押下されることである。この時間は、第１のボタン操作として定められた時間と同じでもよいし、それより長い時間とされてもよい。
【００５９】
Ｓ３０３において、第２のボタン操作がなされた時には、計数再始動処理部１１ｄは、記憶装置１２に格納されているオイル交換距離を初期値０に設定する（Ｓ３０４）。この時、表示制御部１１ｂの処理によって、距離表示部１３ａには、例えば初期値０がオイル距離情報として表示される。また、オイル交換距離がオイル交換必要距離に達しており、オイル交換表示部１３ｃが交換時期通知態様で点灯していた場合には、Ｓ３０４においてオイル交換距離が初期値０に設定されたことによって、オイル交換表示部１３ｃが表示内容案内態様で点灯する。
【００６０】
一方、Ｓ３０３において、予め定める時間内に第２のボタン操作がなされなかった場合には、計数再始動処理部１１ｄはオイル交換距離を０に設定することなく、処理を終了する。以上の処理が計数再始動処理部１１ｄの処理の例である。
【００６１】
以上説明した交換時期案内装置１０によれば、オイル距離情報又はベルト距離情報が距離表示部１３ａに表示されるので、搭乗者はエンジンオイル又はベルト２５ｃの交換時期を予測することができ、交換時期案内装置の利便性が向上する。
【００６２】
なお、本発明は以上説明した交換時期案内装置１０に限られず種々の変形が可能である。例えば、以上説明した交換時期案内装置１０では、オイル距離情報やベルト距離情報は、距離表示部１３ａに数値として表示されていた。しかしながら、これらの距離情報は燃料残量表示部１３ｆに表示されもよい。具体的には、上述したように、オイル交換後距離又はベルト交換後距離が、距離情報取得処理部１１ａの処理によって多段階で評価され、その評価結果が燃料残量表示部１３ｆに表示されてもよい。
【００６３】
図９は、この場合の表示装置１３の例を示す図である。ここでは、オイル交換必要距離が６段階に区分され、オイル交換後距離が６段階評価において２と評価されている場合を例が示されている。この場合、同図に示すように、距離表示部１１ｂは、燃料残量表示部１３ｆにおいて円弧状に配された６つの領域１３ｋのうち、下側の２つを点灯させることで、オイル交換後距離が６段階評価において２と評価されていることを示している。この時、同図に示すように、交換時機到来通知部１１ｃは、燃料残量表示部１３ｆにオイル距離情報が表示されていることを示すために、オイル交換表示部１３ｃを点灯させてもよい。
【図面の簡単な説明】
【００６４】
【図１】本発明の実施形態の例である交換時期案内装置を備える自動二輪車の側面図である。
【図２】上記交換時期案内装置の構成を示すブロック図である。
【図３】上記交換時期案内装置が備える表示装置の表示パネルの例を示す図である。
【図４】上記交換時期案内装置が備える制御装置の機能ブロック図である。
【図５】上記制御装置が含む表示制御部が実行する処理の例を示すフローチャートである。
【図６】距離表示部に表示される距離情報の例を示す図である。
【図７】上記制御装置が含む交換時期通知処理部が実行する処理の例を示すフローチャートである。
【図８】上記制御装置が含む計数再始動処理部が実行する処理の例を示すフローチャートである。
【図９】制御装置が含む距離表示部が実行する処理の他の例を説明するための図である。
【符号の説明】
【００６５】
１  自動二輪車、２  後車輪、３  前車輪、４  フロントフォーク、６  ハンドル、７  シート、１０  交換時期案内装置、１１  制御装置、１１ａ  距離情報取得処理部、１１ｂ  表示制御部、１１ｃ  交換時期通知処理部、１１ｄ  計数再始動処理部、１２  記憶装置、１３  表示装置、１３ａ  距離表示部（表示部）、１３ｂ  交換時期到来表示部、１３ｃ  オイル交換表示部、１３ｄ  ベルト交換表示部、１４  入力装置、１５  表示ユニット、１６  走行距離センサ、１７  エンジンコントロールユニット（ＥＣＵ）、２０  エンジンユニット、２１  エンジン、２２  シリンダブロック、２３  クランクケース、２５  駆動力伝達機構、３０  燃料タンク、３１  液面センサ。
【図１】
2008222108.tif 000003
【図２】
2008222108.tif 000004
【図３】
2008222108.tif 000005
【図４】
2008222108.tif 000006
【図５】
2008222108.tif 000007
【図６】
2008222108.tif 000008
【図７】
2008222108.tif 000009
【図８】
2008222108.tif 000010
【図９】
2008222108.tif 000011